(57)【特許請求の範囲】
【請求項１】
プリセットメモリにメモリされている情報に基づいて、系列放送局への遷移を行なうネットワークフォローシステムにおいて、
プリセット地点の位置情報を前記プリセットメモリにメモリすると共に、
前記プリセット地点の位置情報に対応づけて、前記プリセット地点の位置情報に基づいて計測される、前記プリセット地点と受信電波が発信される位置との距離をサービスエリア半径として、前記プリセットメモリにメモリするように構成され、
現在位置から所定距離以下となるプリセット地点が前記プリセットメモリにメモリされているか否かを判断し、
現在位置から前記所定距離以下となるプリセット地点が前記プリセットメモリにメモリされていると判断した場合、現在位置と受信電波が発信されている位置との距離、及び前記プリセットメモリにメモリされている前記サービスエリア半径に基づいて、現在位置に対応した系列放送局への遷移を行なう受信制御手段を備え、
該受信制御手段は、現在位置と受信している放送局との距離が前記サービスエリア半径を超えている場合、現在位置に対応した系列放送局への遷移を行なうことを特徴とするネットワークフォローシステム。
【請求項２】
受信電波の電界強度を検出する電界強度検出手段で検出された電波の電界強度レベルに応じて、前記サービスエリア半径を自動的に前記プリセットメモリにメモリする自動プリセット制御手段を備えていることを特徴とする請求項１記載のネットワークフォローシステム。
【請求項３】
前記プリセットメモリにメモリされている前記サービスエリア半径を使用者が調整するための調整手段を備えていることを特徴とする請求項１又は請求項２記載のネットワークフォローシステム。
【発明の詳細な説明】
【０００１】
【発明の属する技術分野】
本発明はネットワークフォローシステムに関し、より詳細には、ナビゲーションシステムに装備された位置情報を計測する計測手段を利用するネットワークフォローシステムに関する。
【０００２】
【従来の技術】
上記計測手段を利用するネットワークフォローシステムを備えた車載用テレビ及び／又はラジオ受信機を搭載した車両で走行中に、データテーブルに記憶されている受信中の放送局のサービスエリアから外れると、現在位置情報とサービスエリアに基づく検索により、同一内容を放送している系列局への遷移が行なわれる。
【０００３】
図１０は、上記したフォローが行なわれるテレビ受信機の動作を説明するために示した概略図である。
【０００４】
図中１、２、３はそれぞれ系列局のＰ放送局、Ｑ放送局、Ｒ放送局を示しており、図中１’、２’、３’はそれぞれの放送局のサービスエリアを示している。いま、テレビ受信機を搭載した車両４がＡ地点からＤ地点へ向かって走行しているとする。出発したＡ地点はサービスエリア１’内なので、Ａ地点ではＰ放送局からの電波を受信しており、Ｂ地点にてサービスエリア１’から外れ（区間▲１▼）、サービスエリア２’に入ると、Ｑ放送局からの電波を受信するようになり、これはＣ地点を通過するまで続く（区間▲２▼）。Ｃ地点を車両４が通過するときも、Ｂ地点を通過したときと同様のことが行なわれて、Ｑ放送局からＲ放送局への切り換えが行なわれ、Ｒ放送局からの電波を受信するようになる（区間▲３▼）。
【０００５】
また、例えばＲＤＳ（ラジオデータシステム）のように受信局周波数以外に同一放送内容の他局リストを受信放送局より受信して、電界強度が低下すると、前記リストを検索して他放送局を受信して、同一放送内容を維持させるものもある。
【０００６】
【発明が解決しようとする課題】
上記従来のフォローにおいては、受信状態の良否に関わらず、現在位置情報とサービスエリアにより放送局が選局されるので、受信状態が良好であったとしてもサービスエリアから外れると、同一内容を放送している系列局への遷移が行なわれ、遷移した結果、むしろ受信状態が低下してしまうことがあるという課題がある。また、地形などの影響により受信状態が悪い場合であったとしても、サービスエリア内では系列局への遷移が行なわれず、受信状態が悪い状態のままになってしまうことがあるという課題がある。
【０００７】
また、電界強度の強弱に基づいてネットワークフォローする場合、しきい値が設定されており、例えばステレオでは受信状態が悪くても、モノラルでは良好ということもあり、電界強度がしきい値以下になったとしても、そのまま受信局を維持する方が使用者の所望の形態であるにも関わらず、放送局を遷移させてしまうことがあるという課題がある。
【０００８】
また、ＲＤＳにおいては、受信局が同一放送内容の他局リストを発信していなければフォローできないという課題がある。
【０００９】
本発明は上記課題に鑑みなされたものであって、放送局からのリスト情報がなくてもフォローでき、またサービスエリアから外れたとしても受信状態が良好であれば放送局を遷移させず、サービスエリア内であったとしても地形などの影響により受信状態が悪い場合には遷移を行なうことができるネットワークフォローシステムを提供することを目的としている。
【００１０】
【課題を解決するための手段及びその効果】
上記目的を達成するために本発明に係るネットワークフォローシステム（１）は、プリセットメモリにメモリされている情報に基づいて、系列放送局への遷移を行なうネットワークフォローシステムにおいて、プリセット地点の位置情報を前記プリセットメモリにメモリすると共に、前記プリセット地点の位置情報に対応づけて、前記プリセット地点の位置情報に基づいて計測される、前記プリセット地点と受信電波が発信される位置との距離をサービスエリア半径として、前記プリセットメモリにメモリするように構成され、現在位置から所定距離以下となるプリセット地点が前記プリセットメモリにメモリされているか否かを判断し、
現在位置から前記所定距離以下となるプリセット地点が前記プリセットメモリにメモリされていると判断した場合、現在位置と受信電波が発信されている位置との距離、及び前記プリセットメモリにメモリされている前記サービスエリア半径に基づいて、現在位置に対応した系列放送局への遷移を行なう受信制御手段を備え、該受信制御手段は、現在位置と受信している放送局との距離が前記サービスエリア半径を超えている場合、現在位置に対応した系列放送局への遷移を行なうことを特徴とするネットワークフォローシステム。
【００１１】
上記したネットワークフォローシステム（１）によれば、プリセット地点（例えば、使用者によりプリセット操作された地点）の位置情報が前記プリセットメモリにメモリされると共に、前記プリセット地点の位置情報に対応付けて、前記プリセット地点と受信電波が発信される位置（放送局）との距離がサービスエリア半径として、前記プリセットメモリにメモリされる。すなわち、使用者による受信状態の認知の結果などに基づいて設定されたサービスエリア半径が、前記プリセット地点の位置情報に対応付けて、前記プリセットメモリにメモリされることになる。
また、上記したネットワークフォローシステム（１）によれば、現在位置から所定距離以下となるプリセット地点が前記プリセットメモリにメモリされていると判断され、現在位置と受信電波が発信されている位置（放送局）との距離、及び前記プリセットメモリにメモリされている前記サービスエリア半径に基づき、
前記距離が前記サービスエリア半径を超えていると判断された場合（すなわち、受信状態が良好なエリアから外れてしまった場合）、系列放送局への遷移が行なわれる。
上記したように、前記プリセットメモリにメモリされる前記サービスエリア半径（すなわち、受信状態が良好なエリアを決定する要素）は、例えば、使用者による受信状態の認知の結果に基づいて設定されるので、プリセット時と略同じルートを走行するのであれば、良好な受信状態が保証される。
従って、サービスエリアから外れたとしても受信状態が良好であれば、放送局を遷移させずに、そのまま受信させつづけることができ、またサービスエリア内であったとしても地形などの影響により受信状態が悪い場合には遷移させることができる。また、略同じルートを頻繁に利用する場合に非常に効果的であり、通勤の際などに利用するには最適である。
【００１２】
また、必要な地域だけをメモリすればよいので、予めサービスエリアと系列局ネットの関係等を示すデータテーブルを備えている場合と比較して、メモリ容量が少なくてすむ。
ところで、上記したように、プリセット時と略同じルートを走行する場合（すなわち、プリセット地点付近を走行する場合）には、非常に効果的ではあるが、
プリセット地点から大きく離れた場合、あまり効果的とは言えない。
上記したネットワークフォローシステム（１）によれば、前記プリセットメモリにメモリされている前記サービスエリア半径に基づく系列放送局への遷移が、
現在位置とプリセット地点との距離が前記所定距離以下の場合（すなわち、プリセット地点から大きく離れていない場合）に行なわれる。従って、その効果が大きく発揮される場合に限り、前記遷移が行なわれるようにすることができる。
【００１３】
また、本発明に係るネットワークフォローシステム（２）は、上記ネットワークフォローシステム（１）において、受信電波の電界強度を検出する電界強度検出手段で検出された電波の電界強度レベルに応じて、前記サービスエリア半径を自動的に前記プリセットメモリにメモリする自動プリセット制御手段を備えていることを特徴している。
【００１４】
上記したネットワークフォローシステム（２）によれば、電界強度レベルに応じて、前記サービスエリア半径が自動的に前記プリセットメモリにメモリされる（すなわち、電界強度レベルに応じて、自動的にプリセットされる）ので、使用者の所望の受信状態と一致させることができないこともあるが、良好な受信状態は保証される。また、受信状態が低下する度に、使用者がプリセット操作する手間を省くことができる。
【００１５】
また、本発明に係るネットワークフォローシステム（３）は、上記ネットワークフォローシステム（１）又は（２）において、前記プリセットメモリにメモリされている前記サービスエリア半径を使用者が調整するための調整手段を備えていることを特徴としている。
【００１６】
上記したネットワークフォローシステム（３）によれば、使用者が前記サービスエリア半径を任意に調整し、メモリし直すことができるので、プリセットの作業を何度もせずに簡単な調整という作業で、使用者がより所望するネットワークフォローの形態にすることができる。また、電界強度レベルに応じてプリセットするしきい値がステレオ受信を基準として設定されている場合には、ステレオでの受信状態によりプリセットされるが、ステレオでは受信状態が悪くてもモノラルでは良好であることもあり、放送局を遷移させない方がむしろ使用者の所望の形態である場合に、それを調整という作業により達成することができる。
【００１７】
【発明の実施の形態】
以下、本発明に係るネットワークフォローシステムの実施の形態を図面に基づいて説明する。
【００１８】
図１は、本発明の実施の形態（１）に係るネットワークフォローシステムの要部を概略的に示したブロック図である。
【００１９】
図中１６は、プリセット制御手段を示しており、プリセット制御手段１６の出力側はテレビ及び／又はラジオ用の受信回路１２、ナビゲーションシステムに装備された自車位置を計測する計測手段１４、サービスエリア半径等を演算する演算手段１５のそれぞれの入力側に接続されている。また、計測手段１４の出力側は、受信回路１２における同調周波数を制御する受信制御手段１１、プリセットメモリ１３、演算手段１５のそれぞれの入力側に接続されている。また受信回路１２、演算手段１５の出力側はプリセットメモリ１３のそれぞれの入力側に接続されており、プリセットメモリ１３の出力側は受信制御手段１１の他方の入力側に接続されている。また、受信制御手段１１の出力側は受信回路１２に接続され、受信回路１２にはアンテナ１２ａが接続されている。
【００２０】
図２は、本発明の実施の形態（１）におけるプリセットメモリ１３のメモリ形態を示した概略図であり、図２を用いてプリセット制御手段１６の動作を説明する。但し、説明を簡易にするためにテレビ受信機を搭載した車両が大阪から姫路までを走行中、ＮＨＫ（日本放送協会）から発信される電波を受信している場合を想定している。
【００２１】
〔１〕大阪でＮＨＫを２ＣＨ（チャンネル）で受信しているときに、使用者によりプリセット操作されると、２ＣＨをプリセットメモリ１３のチャンネル１−Ａにメモリする。
【００２２】
〔２〕プリセット地点（使用者によりプリセット操作された地点）の現在位置情報を計測手段１４より取り込んで、前記位置情報をチャンネル１−Ａにメモリする。
【００２３】
〔３〕該位置情報と２ＣＨの周波数帯の電波を発信しているＮＨＫの位置とから、サービスエリア半径を演算手段１５にて算出させ、該サービスエリア半径をチャンネル１−Ａにメモリする。
【００２４】
〔４〕明石に入り、２ＣＨによる受信状態が低下し、使用者により受信回路１２のチューナ部が調整されて２８ＣＨを受信するようになり、プリセット操作されると、２８ＣＨをプリセットメモリ１３のチャンネル１−Ｂにメモリする。
【００２５】
〔５〕同様に、プリセット地点（使用者によりプリセット操作された地点）の現在位置情報とサービスエリア半径とをチャンネル１−Ａにメモリする。
【００２６】
〔６〕姫路に入り、２８ＣＨによる受信状態が低下し、使用者により受信回路１２のチューナ部が調整されて４９ＣＨを受信するようになり、プリセット操作されると、４９ＣＨをチャンネル１−Ｃにメモリする。
【００２７】
〔７〕同様に、プリセット地点（使用者によりプリセット操作された地点）の現在位置情報とサービスエリア半径とをチャンネル１−Ｂにメモリする。
上記した〔１〕〜〔７〕から明らかなように、プリセット制御手段１６でなされる処理（プリセット）は、チャンネル（周波数）に対応づけて、使用者によりプリセット操作された地点（プリセット地点）の位置情報とサービスエリア半径とをプリセットメモリ１３にメモリすることである。
【００２８】
図３は、上記したプリセットが行なわれる際のテレビ受信機の動作を説明するために示した概略図である。
図中１、２、３はそれぞれ系列局のＰ放送局、Ｑ放送局、Ｒ放送局を示しており、図中１’、２’、３’はそれぞれの放送局のサービスエリアを示している。
いま、テレビ受信機を備えた車両４がＡ地点からＤ地点へ向かって走行しているとする。出発したＡ地点はサービスエリア１’内なので、Ｐ放送局からの電波を受信しており、Ｂ地点にてサービスエリア１’から外れたが、受信状態は良好なので受信局を変更せずに、そのまま走行している。Ｂ’地点にて受信状態が低下したので、Ｑ放送局からの電波を受信するようにし、プリセットする（区間▲１▼’）。次にＣ’地点にてサービスエリア２’内であるが、受信状態が低下したので、Ｒ放送局からの電波を受信するようにし、プリセットする（区間▲２▼’）。そして、Ｄ地点まで、Ｒ放送局からの受信は続く（区間▲３▼’）。
【００２９】
次に、上記プリセットが行なわれた受信制御手段１１の動作を図４に示したフローチャートに基づいて説明する。但し、説明を容易にするためにテレビ受信機を備えている車両が走行中、ＮＨＫから発信される電波を受信している場合を想定している。
【００３０】
まずステップ１において、計測手段１４から現在位置情報を取り込んで、次にステップ２において、プリセットメモリ１３のチャンネルｎ（ＮＨＫの周波数がメモリされているチャンネル、例えば、チャンネル１）にメモリされている位置情報と現在位置との距離が所定距離以下となる位置情報がメモリされているか否か（例えば、チャンネル１−Ａ、チャンネル１−Ｂ、…のいずれかにメモリされているか否か）を判断する。
この判断は、使用者の頻繁に利用するルートに基づいてメモリされているので、前記ルートよりも大きく離れている場合には効果的ではなく、効果的な所定距離以下の場合だけを対象とするために行なわれる。なお、チャンネル１は、チャンネル１−Ａ、チャンネル１−Ｂなどを総括する表現であり、チャンネルｎは、チャンネルｎ−Ａ、チャンネルｎ−Ｂなどを総括する表現である。
【００３１】
メモリされていると判断されれば、ステップ３に移り、一方、メモリされていないと判断されれば、ステップ１に戻る。
【００３２】
ステップ３では、演算手段１５から算出された現在位置と受信している放送局との距離を取り込んで、次にステップ４において、前記距離がプリセットメモリ１３のチャンネルｎ−ｍ（ＮＨＫの周波数及び現在位置との距離が所定距離以下となる位置情報がメモリされているチャンネルであり、受信している放送局のサービスエリア半径がメモリされているチャンネル、例えば、チャンネル１−Ａ、１−Ｂ、…のいずれか）にメモリされているサービスエリア半径を超えているか否かを判断する。超えていれば、ステップ５に移り、チャンネルｎ−ｍ（ＮＨＫの周波数がメモリされているチャンネル、例えば、チャンネル１−Ａ、チャンネル１−Ｂ、…のいずれか）にメモリされている周波数を受信回路１２に出力し、前記周波数の放送局への遷移を行なう。一方、超えていなければ、ステップ１に戻る。なお、チャンネル１−ｍは、チャンネル１−Ａ、チャンネル１−Ｂ、…のいずれかを示し、チャンネルｎ−ｍは、チャンネルｎ−Ａ、チャンネルｎ−Ｂ、…のいずれかを示している。
【００３３】
図５は、上記したフォローが行なわれる際のテレビ受信機の動作を説明するために示した概略図である。
図中１、２、３はそれぞれ系列局のＰ放送局、Ｑ放送局、Ｒ放送局を示しており、図中１’、２’、３’はそれぞれの放送局のサービスエリアを示している。
いま、テレビ受信機を備えた車両４がＡ地点からＤ地点へ向かって走行しているとする。出発したＡ地点はサービスエリア１’内なので、Ｐ放送局からの電波を受信しており（区間▲１▼”）、Ｂ”地点にてサービスエリア半径２１を超えると、Ｑ放送局からの電波を受信するようになり、これはＣ”地点を通過するまで続く（区間▲２▼”）。Ｃ”地点を車両４が通過するときも、Ｂ”地点を通過したときと同様のことが行なわれて、Ｑ放送局からＲ放送局への切り換えが行なわれ、Ｒ放送局からの電波を受信するようになる（区間▲３▼”）。
【００３４】
但し、Ｂ”地点、Ｃ”地点はそれぞれＢ’地点、Ｃ’地点からの距離が所定距離以下となる円弧２１’、２２’上の地点である。
【００３５】
本実施の形態（１）に係るネットワークフォローシステムによれば、計測手段１４により計測された現在位置と、演算手段１５により算出された現在位置と受信している放送局との距離と、プリセットメモリ１３にメモリされている位置情報及びサービスエリア半径とに基づく検索とにより、現在位置に対応した系列局をプリセットメモリ１３から読み出して受信しネットワークフォローする場合、通常使用者が受信状態を認知して既にプリセットしてあるので、プリセット時と略同じルートであれば、良好な受信状態が保証され、サービスエリアが変わる度に受信局を使用者が選択する手間を省くことができる。また、通常の放送局からの距離に基づいて一律に設定されたサービスエリアから外れたとしても受信状態が良好であれば、放送局を遷移させずに、そのまま受信させつづけることができ、また前記サービスエリア内であったとしても地形などの影響により受信状態が悪い場合には遷移させることができる。また、略同じルートを頻繁に利用する場合に非常に効果的であり、通勤の際などに利用するには最適である。
【００３６】
また、必要な地域だけをメモリすればよいので、予めサービスエリアと系列局ネットの関係等を示すデータテーブルを備えている場合と比較して、メモリ容量が少なくてすむ。
【００３７】
図６は、本発明の実施の形態（２）に係るネットワークフォローシステムの要部を概略的に示したブロック図である。
図中１７は、プリセット制御手段１６（図１）とは異なり、使用者によるプリセット操作がなくても、受信電波の電界強度レベルに応じて自動的にプリセットし得る自動プリセット制御手段を示しており、自動プリセット制御手段１７の出力側はテレビ及び／又はラジオ用の受信回路１２、計測手段１４、演算手段１５のそれぞれの入力側に接続されている。受信回路１２の一方の出力側は、電界強度検出手段１８の入力側に接続されており、電界強度検出手段１８の出力側は自動プリセット制御手段１７に接続されている。受信回路１２の他方の出力側は、
プリセットメモリ１３の一方の入力側に接続され、演算手段１５の出力側は、プリセットメモリ１３、受信制御手段１１のそれぞれの入力側に接続されている。
計測手段１４の出力側は、受信制御手段１１、プリセットメモリ１３、演算手段１５のそれぞれの入力側に接続されている。プリセットメモリ１３の出力側は、
受信制御手段１１の他方の入力側に接続され、受信制御手段１１の出力側は、受信回路１２に接続され、受信回路１２にはアンテナ１２ａが接続されている。
【００３８】
本発明の実施の形態（２）におけるテレビ用及び／又はラジオ用電波の電界強度検出手段１８の動作を図７に示したフローチャートに基づいて説明する。
【００３９】
まず、ステップ６において、受信回路１２より電界強度の出力レベルを取り込んで、次にステップ７において、前記出力レベルが所定値以下であるか否かを判断する。所定値以下であれば、ステップ８に移り、自動プリセット制御手段１７にプリセットＯＮの信号を出力する。一方、所定値以下でなければ、ステップ６に戻る。この自動プリセット動作は使用者によるプリセット操作が既に行なわれている場合には行なわれない（使用者による実施の形態（１）に係るプリセットが優先される）。
電界強度検出手段１８から出力されるプリセットＯＮの信号が自動プリセット制御手段１７で受信されると、図２に示したプリセット制御手段１６と同様に、
自動プリセット制御手段１７によって、その時の位置情報（すなわち、プリセット地点の位置情報）に対応づけて、サービスエリア半径がプリセットメモリ１３にメモリされることになる。
【００４０】
本実施の形態（２）に係るネットワークフォローシステムによれば、使用者によるプリセット操作が行なわれていない場合には電界強度レベルに応じて自動的にプリセットされるので、使用者の所望の受信状態と一致させることができないこともあるが、良好な受信状態が保証される。また、受信状態が低下する度に、
使用者がプリセット操作する手間を省くことができる。
【００４１】
図８は、本発明の実施の形態（３）に係るネットワークフォローシステムの要部を概略的に示したブロック図である。
【００４２】
図中１９は調整手段を示しており、アップ、ダウンのスイッチ１９ａ、１９ｂが形成されている調整手段１９の出力側は、プリセットメモリ１３の入力側に接続されている。他の構成は実施の形態（１）の場合と同様なので、ここではその他の部分の説明を省略する。
【００４３】
実施の形態（３）に係るネットワークフォローシステムでは使用者がアップ、ダウンのスイッチ１９ａ、１９ｂを操作することにより、前記サービスエリア半径を調整することができる。
【００４４】
本実施の形態（３）に係るネットワークフォローシステムによれば、使用者がアップ、ダウンのスイッチ１９ａ、１９ｂを操作することにより、プリセットメモリ１３にメモリされているサービスエリア半径を任意に調整し、メモリし直すことができるので、プリセットの作業を何度もせずに、簡単な調整という作業でより所望のネットワークフォロー形態にすることができる。
【００４５】
図９は、本発明の実施の形態（４）に係るネットワークフォローシステムの要部を概略的に示したブロック図である。
【００４６】
図中１９は調整手段を示しており、アップ、ダウンのスイッチ１９ａ、１９ｂが形成されている調整手段１９の出力側は、プリセットメモリ１３、自動プリセット制御手段１７のそれぞれの入力側に接続されている。他の構成は実施の形態（２）の場合と同様なので、ここではその他の部分の説明を省略する。
【００４７】
使用者がアップ、ダウンのスイッチ１９ａ、１９ｂを操作することにより、前記サービスエリア半径を調整することができる。
【００４８】
本実施の形態（４）に係るネットワークフォローシステムによれば、使用者がアップ、ダウンのスイッチ１９ａ、１９ｂを操作することにより、プリセットメモリ１３にメモリされているサービスエリア半径を任意に調整し、メモリし直すことができるので、プリセットの作業を何度もせずに、簡単な調整という作業でより所望のネットワークフォロー形態にすることができる。
【００４９】
また、電界強度レベルに応じてプリセットするしきい値がステレオ受信を基準として設定されている場合には、ステレオでの受信状態によりプリセットされるが、ステレオでは受信状態が悪くてもモノラルでは良好であることもあり、放送局を遷移させない方がむしろ使用者の所望の形態である場合に、それを調整という作業により達成することができる。
【図面の簡単な説明】
【図１】本発明の実施の形態（１）に係るネットワークフォローシステムの要部を概略的に示したブロック図である。
【図２】実施の形態（１）におけるプリセットメモリのメモリ形態を示した概略図である。
【図３】実施の形態（１）において、プリセットが行なわれる際のテレビ受信機の動作を説明するために示した概略図である。
【図４】実施の形態（１）における受信制御手段の動作を示したフローチャートである。
【図５】実施の形態（１）において、フォローが行なわれる際のテレビ受信機の動作を説明するために示した概略図である。
【図６】実施の形態（２）に係るネットワークフォローシステムの要部を概略的に示したブロック図である。
【図７】実施の形態（２）におけるテレビ用及び／又はラジオ用の電界強度検出手段の動作を示したフローチャートである。
【図８】実施の形態（３）に係るネットワークフォローシステムの要部を概略的に示したブロック図である。
【図９】実施の形態（４）に係るネットワークフォローシステムの要部を概略的に示したブロック図である。
【図１０】従来において、フォローが行なわれる際のテレビ受信機の動作を説明するために示した概略図である。
【符号の説明】
１、２、３  放送局
１’、２’、３’  サービスエリア
４  車両
１９  調整手段
１９ａ、１９ｂ  スイッチ
２１、２２  サービスエリア半径
２１’、２２’  円弧
【図１】
0003946799.tif 000002
【図２】
0003946799.tif 000003
【図３】
0003946799.tif 000004
【図４】
0003946799.tif 000005
【図５】
0003946799.tif 000006
【図６】
0003946799.tif 000007
【図７】
0003946799.tif 000008
【図８】
0003946799.tif 000009
【図９】
0003946799.tif 000010
【図１０】
0003946799.tif 000011